(57)【要約】      （修正有）【課題】簡易な構成で眩惑防止と情報表示を両立することができる表示装置を提供する。【解決手段】表示部１０は、フロントウィンドウの上部位置に配置され、液晶表示パネルおよび光を透過するバックライト部を有し、液晶表示パネルに入射された外光をバックライトとして表示を行う第１のモードと、バックライト部から発せられた光をバックライトとして表示を行う第２のモードとを切り替え可能である。描画部１１は、表示部１０に表示する表示物を描画し、表示位置制御部１２は、表示部１０における表示物の表示位置を制御する。また、透過率制御部１３は、照度の検出情報に基づいて液晶表示パネルにおける光の透過率を制御する。バックライト制御部１４は、照度の検出情報に基づいて表示部１０における第１および第２のモードの切り替えを制御する。【選択図】図１
2016008002.tif 000002
【特許請求の範囲】
【請求項１】
フロントウィンドウの上部位置に配置され、液晶表示パネルおよび光を透過するバックライト部を有し、前記液晶表示パネルに入射された外光をバックライトとして表示を行う第１のモードと、前記バックライト部から発せられた光をバックライトとして表示を行う第２のモードとを切り替え可能な表示部と、
前記表示部に表示する表示物を描画する描画部と、
前記表示部における前記表示物の表示位置を制御する表示位置制御部と、
照度の検出情報に基づいて前記液晶表示パネルにおける光の透過率を制御する透過率制御部と、
前記照度の検出情報に基づいて前記表示部における前記第１および前記第２のモードの切り替えを制御するバックライト制御部とを備える表示装置。
【請求項２】
前記バックライト部は、
一方の面のみが発光し、もう一方の面から前記一方の面へ光の透過が可能な光透過型の片面発光パネルであり、
前記表示部は、
透過型の液晶表示部であり、
前記第１のモードにおいて前記片面発光パネルを透過して前記液晶表示パネルに入射された外光をバックライトとして表示を行い、前記第２のモードにおいて前記片面発光パネルから発せられた光をバックライトとして表示を行うことを特徴とする請求項１記載の表示装置。
【請求項３】
前記バックライト部は、
一方の面のみが発光し、もう一方の面から前記一方の面へ光の透過が可能な光透過型の片面発光パネルであり、
前記表示部は、
半透過型の液晶表示部であり、
前記第１のモードにおいて前記液晶表示パネルに入射した外光が前記液晶表示パネルの内部で反射された反射光をバックライトとして表示を行い、前記第２のモードにおいて前記片面発光パネルから発せられた光をバックライトとして表示を行うことを特徴とする請求項１記載の表示装置。
【請求項４】
前記透過率制御部は、前記照度の検出情報に基づいて前記描画部が描画する前記表示物の輝度階調を制御することを特徴とする請求項１から請求項３のうちのいずれか１項記載の表示装置。
【請求項５】
前記バックライト制御部は、前記第２のモードに切り替えた場合、前記照度の検出情報に基づいて前記バックライト部の光量を制御することを特徴とする請求項１から請求項４のうちのいずれか１項記載の表示装置。
【請求項６】
前記描画部は、前記表示部に立体表示する３次元表示物を描画し、
前記表示位置制御部は、前記表示部の表示面に対する奥行き方向の前記３次元表示物の表示位置を制御することを特徴とする請求項１から請求項５のうちのいずれか１項記載の表示装置。
【請求項７】
前記表示位置制御部は、ユーザの操作に応じて３次元表示物の表示位置を制御することを特徴とする請求項６記載の表示装置。
【発明の詳細な説明】
【技術分野】
【０００１】
この発明は、車両内に配置される表示部に情報を表示する表示装置に関する。
【背景技術】
【０００２】
近年、運転者の運転を支援するための情報を車両内に配置される表示部に表示する表示装置が普及している。車両内に配置される表示部には、例えばヘッドアップディスプレイがある。ヘッドアップディスプレイは、フロントガラスや車両前方を見通せる透明なスクリーンに情報を投影して表示する。このため、表示情報の視認に必要な運転者の視線移動を軽減でき、運転に注力することができるという利点がある。
【０００３】
また、特許文献１には、車両に常備されているサンバイザーに表示装置を配設した表示装置が開示されている。この表示装置では、表示装置として透過型の液晶パネルを用いており、液晶パネルの背面側に取り外し可能な照明装置が設けられている。液晶パネルは、太陽の光などの外光が利用できるときには照明装置を取り外して、外光をバックライトとして表示を行い、外光を利用できないときは照明装置の照明をバックライトとして表示を行う。
【先行技術文献】
【特許文献】
【０００４】
【特許文献１】特開平７−２３４３９５号公報
【発明の概要】
【発明が解決しようとする課題】
【０００５】
サンバイザーは、運転者の体格などの個人差やシートポジションが違っていても、遮光効果を発揮できるようにするため、一般に直射日光を遮断可能な面積（サンバイザー面積）が大きく設計されている。このため、ヘッドアップディスプレイにおいて、サンバイザーの位置にサンバイザーと同等な大きさのスクリーンを配置すれば、運転者前方の広い領域で車外の映像に車両情報を重ね合わせて表示することができる。これにより、表示情報の視認に必要な運転者の視線移動をさらに軽減でき、運転に注力することができる。
【０００６】
しかしながら、ヘッドアップディスプレイでは、投影した映像を明瞭に表示するためにレーザ光源などの高輝度光源が必要であり、さらにスクリーンまで映像を投影するための様々な光学系が必要であり、装置構成が複雑になる。このため、コストが高くなることが否めない。また、投影式の表示では、表示物を３次元立体視表示（以下、３Ｄ表示と記載する）することもできない。さらに、サンバイザーを取り外してスクリーンを配置した場合、本来のサンバイザーによる眩惑防止効果が得られなくなる。
【０００７】
特許文献１のように透過型の液晶パネルを用いた場合、表示装置の構成を簡略化でき、液晶パネルの透過率を調整することで、サンバイザーのような眩惑防止効果を得ることも可能である。しかしながら、特許文献１の表示装置では、液晶パネルのバックライトとして外光を利用する場合は照明装置を外し、外光を利用できない場合には照明装置を配置する必要がある。これらの操作は外光の状況が変化する度に実行しなければならないため、手動で行うことは現実的でなく、また自動で行う場合は照明装置の駆動手段を新たに追加する必要があり、結局、装置構成が複雑になる。
【０００８】
この発明は上記のような課題を解決するためになされたもので、簡易な構成で眩惑防止と情報表示を両立することができる表示装置を得ることを目的とする。
【課題を解決するための手段】
【０００９】
この発明に係る表示装置は、フロントウィンドウの上部位置に配置され、液晶表示パネルおよび光を透過するバックライト部を有し、液晶表示パネルに入射された外光をバックライトとして表示を行う第１のモードと、バックライト部から発せられた光をバックライトとして表示を行う第２のモードとを切り替え可能な表示部と、表示部に表示する表示物を描画する描画部と、表示部における表示物の表示位置を制御する表示位置制御部と、照度の検出情報に基づいて液晶表示パネルにおける光の透過率を制御する透過率制御部と、照度の検出情報に基づいて表示部における第１および第２のモードの切り替えを制御するバックライト制御部とを備える。
【発明の効果】
【００１０】
この発明によれば、簡易な構成で眩惑防止と情報表示を両立することができるという効果がある。
【図面の簡単な説明】
【００１１】
【図１】この発明の実施の形態１に係る表示装置を備える表示システムを示すブロック図である。
【図２】実施の形態１における表示部を示す図である。
【図３】実施の形態１に係る表示装置の動作を示すフローチャートである。
【図４】実施の形態１における表示例を示す図である。
【図５】この発明の実施の形態２に係る表示装置を備える表示システムを示すブロック図である。
【図６】実施の形態２における３Ｄ表示例を示す図である。
【発明を実施するための形態】
【００１２】
実施の形態１．
図１は、この発明の実施の形態１に係る表示装置を備える表示システムを示すブロック図である。図１に示す表示システムは、車両内に配置された表示部１０に車両情報およびナビゲーション情報を表示する表示システムであり、表示装置１、ＥＣＵ（電子制御ユニット）２およびナビゲーション装置３を備えて構成される。ナビゲーション装置３では、車両内に配置されたスピーカ４から案内音声を出力する。また、表示装置１、ＥＣＵ２およびナビゲーション装置３は、車両内に設けられた有線または無線の通信ライン５に接続されており、通信ライン５を介して情報のやり取りが可能である。
【００１３】
表示装置１は、表示部１０に各種情報を表示する表示装置であり、表示部１０、描画部１１、表示位置制御部１２、透過率制御部１３およびバックライト制御部１４を備える。
表示部１０は、車両のフロントウィンドウの上部位置、すなわちサンバイザーの位置に配置される。また、表示部１０は、図２を用いて後述するように液晶表示パネルおよび光を透過するバックライト部を有しており、この液晶表示パネルに入射された外光をバックライトとして表示を行う第１のモードとバックライト部から発せられた光をバックライトとして表示を行う第２のモードとを切り替え可能である。
【００１４】
描画部１１は表示部１０に表示する表示物を描画する。例えば、通信ライン５を介してＥＣＵ２またはナビゲーション装置３から情報を取得して、これらの情報に応じた表示物を描画する。ＥＣＵ２から取得する情報としては、車両の速度情報２ａ、燃料情報２ｂ、エンジン回転数情報２ｃといった車両情報がある。また、ナビゲーション装置３から取得する情報には、車両周辺の地図情報３ａ、車両の位置情報（ルート案内情報も含む）３ｂ、現在時刻や目的地への予想到着時間といった時間情報３ｃなどのナビゲーション情報がある。
【００１５】
表示位置制御部１２は、描画部１１が描画した表示物を入力して、表示部１０における表示物の表示位置を制御する。例えば、入力部７を用いてユーザが表示物ごとに指定した位置に表示する。または、表示物ごとに予め定められた位置に表示してもよい。
【００１６】
透過率制御部１３は、照度センサ６から照度の検出情報を入力し、この照度の検出情報に基づいて表示部１０の液晶表示パネルにおける光の透過率を制御する。照度の検出情報とは、表示部１０の周辺における照度の検出情報である。例えば、透過率制御部１３は、照度と透過率の対応データを参照して、表示部１０の周辺における照度が高いと判断される場合、液晶表示パネルに印加する電圧を制御して透過率を下げる。一方、表示部１０の周辺における照度が低いと判断される場合には液晶表示パネルの透過率を上げる。
また、透過率制御部１３は、描画部１１において映像信号（表示物）の階調データ（輝度階調）を制御してもよい。例えば、透過率制御部１３が、照度の検出情報に基づいて表示部１０の周辺照度が高いと判断した場合、描画部１１において階調を落とした映像（暗い映像）を出力するように制御する。反対に、照度が低いと判断した場合は、描画部１１において階調を上げた映像（明るい映像）を出力するように制御する。このようにすることで、周辺照度に応じて表示部１０の輝度階調を調整できる。
【００１７】
バックライト制御部１４は、照度の検出情報を入力し、この照度の検出情報に基づいて表示部１０における第１および第２のモードの切り替えを制御する。例えば、表示部１０の周辺における照度が予め定められた上限閾値以上である場合に、バックライト制御部１４は、表示部１０を第１のモードに切り替える。一方、照度が上記閾値未満である場合には、バックライト制御部１４は、表示部１０を第２のモードに切り替える。
また、バックライト制御部１４は、第２のモードに切り替えた場合に、照度の検出情報から特定される周辺照度に合わせて、バックライト部が発する光の明るさ（光量）を調整してもよい。これにより、周辺照度の変動に追従した輝度制御を行うことができる。
【００１８】
なお、表示装置１における描画部１１、表示位置制御部１２、透過率制御部１３およびバックライト制御部１４は、例えば、実施の形態１に特有な処理が記述されたプログラムをマイクロコンピュータが実行することにより、ハードウェアとソフトウェアが協働した具体的な手段として実現することができる。
【００１９】
図２は、実施の形態１における表示部１０を示す図であって、図２（ａ）は、車両内における表示部１０の配置例を示しており、図２（ｂ）は表示部１０の正面図、図２（ｃ）は、図２（ｂ）におけるＢ−Ｂ線で表示部１０を切った断面矢示図である。
表示部１０は、図２（ａ）に示すように車両のフロントウィンドウ１００の上部位置（サンバイザーの位置）に配置される。このようにサンバイザーの位置に配置することで、インストルメントパネル１０１に表示部を配置する場合に比べて、運転者Ａの前方の広い領域に情報を表示することができる。これにより表示情報の視認に必要な運転者Ａの視線移動を軽減できる。
【００２０】
また、表示部１０は、サンバイザーの眩惑防止効果を確保するため、図２（ｂ）に示すようにサンバイザーと同等の大きさを有した表示面１０Ａを備える。
さらに、表示部１０はその裏面側から表示面１０Ａ側へ光を透過可能な表示部であり、運転者Ａは表示面１０Ａから裏面側の風景（車両前方の風景）をみることができる。
一方、照度センサ６によって検出された照度に基づいて裏面側から表示部１０を透過した外光が運転者Ａを眩惑させる程度に強い光であると判断された場合には、表示部１０における光の透過率を調整して遮光することができる。
なお、図２（ｂ）では照度センサ６を表示部１０の表示面１０Ａの縁部に配置した場合を示したが、これに限定されるものではない。例えば、照度センサ６を表示部１０の裏面側に配置してもよく、また表示部１０とは別に設けてその周辺に配置してもよい。
【００２１】
表示部１０は、図２（ｃ）に示すように、液晶表示パネル１０Ａ−１、バックライト部１０Ａ−２およびフレーム部材１０Ａ−３を備えて構成される。なお、図２（ｃ）では、表示部１０における主要な構成のみを概略的に示している。
液晶表示パネル１０Ａ−１は、偏光板、透明電極および配向膜をそれぞれ備える２枚の透明基板に挟まれた空間内に液晶分子を封入して構成される。透明電極に電圧を印加することにより液晶分子の向きが制御され、表示部１０における光の透過率が変化する。
液晶表示パネル１０Ａ−１としては、背面側から入射された光で表示を行う透過型液晶であってもよいし、表示面１０Ａ側から入射された光をパネル内部の反射部で反射させた反射光で表示を行う半透過型液晶であってもよい。
【００２２】
バックライト部１０Ａ−２は、液晶表示パネル１０Ａ−１のバックライトとなる光を発光する。また、バックライト部１０Ａ−２は、背面側から入射された光を表面側（発光面）へ透過する、いわゆる光透過性を有する。これにより、バックライト部１０Ａ−２は、発光面側から背面側の風景をみることができる。
【００２３】
バックライト部１０Ａ−２には、例えば光透過型の有機ＥＬ（エレクトロルミネッセンス）パネル（片面発光パネル）を使用する。なお、この有機ＥＬパネルは、細いライン状に形成した複数の有機ＥＬ材料を、点灯時のみ片面が発光するように一定の間隔を空けて並べて構成されており、点灯時には発光面側のみを照らすことができる。点灯時であっても裏面側は暗いままであるので、バックライト部１０Ａ−２の光によって対向車の運転者を眩惑することがない。
液晶表示パネル１０Ａ−１とバックライト部１０Ａ−２は、図２（ｃ）に示すように、フレーム部材１０Ａ−３によって組み合わされる。
【００２４】
次に動作について説明する。
図３は、実施の形態１に係る表示装置の動作を示すフローチャートであり、ＥＣＵ２およびナビゲーション装置３から取得した情報を表示部１０に表示する処理を示している。
まず、描画部１１は、通信ライン５を介してＥＣＵ２およびナビゲーション装置３から情報を取得する（ステップＳＴ１）。ここでは、ＥＣＵ２から、速度情報２ａ、燃料情報２ｂおよびエンジン回転数情報２ｃを車両情報として取得し、ナビゲーション装置３から地図情報３ａ、ルート案内情報を含む位置情報３ｂおよび時間情報３ｃをナビゲーション情報として取得する。
【００２５】
描画部１１は、ステップＳＴ１で取得した情報に対応する表示物を描画する（ステップＳＴ２）。例えば、車両情報については、図４（ａ）に示すような、速度情報２ａに対応するテキスト画像、燃料情報２ｂに対応するメータ画像、エンジン回転数情報２ｃに対応するメータ画像が描画される。また、ナビゲーション情報については、例えば、地図情報３ａに対応する地図画像、位置情報３ｂのルート案内情報３ｂ−１に対応する矢印画像、時間情報３ｃの目的地までの予想到着時間３ｃ−１に対応するテキスト画像や現在時刻３ｃ−２に対応するテキスト画像がある。
【００２６】
次に、透過率制御部１３は、照度センサ６から取得された照度の検出情報に基づいて、表示部１０の周辺の照度が予め定められた上限閾値未満であるか否かを確認する（ステップＳＴ３）。上限閾値とは、表示部１０を透過した外光によって運転者が眩しいと感じる照度であり、実験により予め求めておく。
【００２７】
表示部１０の周辺の照度が予め定められた上限閾値以上である場合（ステップＳＴ３；ＮＯ）、透過率制御部１３は、表示部１０の液晶表示パネル１０Ａ−１に対して透過率０％（または、眩惑が起こらない程度に低い透過率）を設定する（ステップＳＴ４）。これによって、表示部１０の表示面１０Ａは、図４（ｂ）のような黒画面となり、背面側から入射された外光が遮光される。すなわち、表示部１０をサンバイザーとして機能させることができる。なお、ステップＳＴ４の処理が完了すると、ステップＳＴ３の処理に戻る。
【００２８】
表示部１０の周辺の照度が予め定められた上限閾値未満である場合（ステップＳＴ３；ＹＥＳ）、透過率制御部１３は、表示部１０の周辺の照度が予め定められた下限閾値以下であるか否かを確認する（ステップＳＴ５）。下限閾値とは、液晶表示パネル１０Ａ−１に入射した外光をバックライトとして利用可能な下限の光量を照度に換算した値である。この下限閾値も、実験により予め求めておく。
【００２９】
表示部１０の周辺の照度が予め定められた下限閾値以下である場合（ステップＳＴ５；ＹＥＳ）、透過率制御部１３は、その旨をバックライト制御部１４に通知する。
バックライト制御部１４は、透過率制御部１３から上記通知を受けると、夜間走行またはトンネルを自車が走行中であると判断して、表示部１０に第２のモードを設定する（ステップＳＴ６）。例えば、バックライト部１０Ａ−２を点灯し、表示部１０は、バックライト部１０Ａ−２から発せられた光をバックライトとして表示を行う。
例えば、バックライト部１０Ａ−２として上述した有機ＥＬパネルを用いた場合、この有機ＥＬパネルは、片面自発光タイプの発光パネルであるため、対向車に対して発光することがない。このため、安全面についても高い効果が期待できる。
【００３０】
一方、表示部１０の周辺の照度が予め定められた下限閾値より高い場合（ステップＳＴ５；ＮＯ）、透過率制御部１３は、その旨をバックライト制御部１４に通知する。
バックライト制御部１４は、透過率制御部１３から上記通知を受けると、外光をバックライトとして利用可能であると判断して、表示部１０に第１のモードを設定する（ステップＳＴ７）。すなわち、バックライト部１０Ａ−２を点灯せず、表示部１０は、液晶表示パネル１０Ａ−１に入射される外光をバックライトとして表示を行う。
例えば、バックライト部１０Ａ−２が上述した有機ＥＬパネルである場合は、有機ＥＬパネルを透過して液晶表示パネル１０Ａ−１に入射される外光をバックライトとして表示を行う。また、液晶表示パネル１０Ａ−１が半透過型液晶である場合には、液晶表示パネル１０Ａ−１に入射され、その内部で反射された外光の反射光がバックライトとして利用される。
【００３１】
続いて、透過率制御部１３は、表示部１０の液晶表示パネル１０Ａ−１に対して現在の照度に対応した透過率を設定する（ステップＳＴ８）。例えば、照度の高さに透過率が反比例する照度と透過率の対応関係を予め設定しておき、現在の照度に応じた透過率を液晶表示パネル１０Ａ−１に設定する。
【００３２】
次に、表示位置制御部１２は、ステップＳＴ２で描画部１１により描画された表示物を表示部１０に表示する（ステップＳＴ９）。これにより図４（ａ）に示すような画面表示となる。図４（ａ）の例では、表示部１０を透過して見える車両前方の風景（走行道路）に、各情報２ａ〜２ｃ，３ａ，３ｂ−１，３ｃ−１，３ｃ−２の表示物が重畳表示されている。このようにサンバイザーの位置において表示部１０をヘッドアップディスプレイとして利用することで、運転者の視線移動が少なく、より快適な運転を支援することが可能である。
【００３３】
以上のように、この実施の形態１によれば、表示部１０は、フロントウィンドウ１００の上部位置に配置され、液晶表示パネル１０Ａ−１および光を透過するバックライト部１０Ａ−２を有し、液晶表示パネル１０Ａ−１に入射された外光をバックライトとして表示を行う第１のモードと、バックライト部１０Ａ−２から発せられた光をバックライトとして表示を行う第２のモードとを切り替え可能である。描画部１１は、表示部１０に表示する表示物を描画し、表示位置制御部１２は、表示部１０における表示物の表示位置を制御する。また、透過率制御部１３は、照度の検出情報に基づいて液晶表示パネル１０Ａ−１における光の透過率を制御する。バックライト制御部１４は、照度の検出情報に基づいて表示部１０における第１および第２のモードの切り替えを制御する。
このように表示部１０は第１のモードと第２のモードを切り替え可能な表示部であり、バックライト制御部１４が、照度に応じて第１および第２のモードを自動で切り替える。これにより、従来のように第１および第２のモードを切り替えるための手動操作や専用の駆動機構が不要であり、簡易な構成を実現することができる。
また、液晶表示パネル１０Ａ−１に対して照度に応じた透過率を設定することにより、眩惑防止と情報表示を両立することができる。
【００３４】
また、この実施の形態１によれば、バックライト部１０Ａ−２は、一方の面のみが発光し、もう一方の面から一方の面へ光の透過が可能な光透過型の有機ＥＬパネルである。表示部１０は、透過型の液晶表示パネル１０Ａ−１であり、第１のモードにおいて有機ＥＬパネルを透過して液晶表示パネル１０Ａ−１に入射された外光をバックライトとして表示を行い、第２のモードにおいて有機ＥＬパネルから発された光をバックライトとして表示を行う。このように構成することで、上記と同様に、簡易な構成で眩惑防止と情報表示を両立させることができる。また、有機ＥＬパネルは片面発光であるので、対向車に対して発光することがなく、安全面についても高い効果が期待できる。
【００３５】
さらに、この実施の形態１によれば、バックライト部１０Ａ−２は、一方の面のみが発光し、もう一方の面から一方の面へ光の透過が可能な光透過型の有機ＥＬパネルである。表示部１０は、半透過型の液晶表示パネル１０Ａ−１であり、第１のモードにおいて液晶表示パネル１０Ａ−１に入射した外光が液晶表示パネル１０Ａ−１の内部で反射された反射光をバックライトとして表示を行い、第２のモードにおいてバックライト部１０Ａ−２から発せられた光をバックライトとして表示を行う。このように構成することでも、上記と同様に、簡易な構成で眩惑防止と情報表示を両立することができる。
【００３６】
さらに、この実施の形態１によれば、透過率制御部１３は、照度の検出情報に基づいて描画部１１が描画する表示物の輝度階調を制御する。このようにすることで、周辺照度に応じて表示部１０の輝度階調を調整できる。
【００３７】
さらに、この実施の形態１によれば、バックライト制御部１４は、第２のモードに切り替えた場合、照度の検出情報に基づいてバックライト部１０Ａ−２の光量を制御する。このようにすることで、周辺照度の変動に追従した輝度制御を行うことができる。
【００３８】
実施の形態２．
図５は、この発明の実施の形態２に係る表示装置を備える表示システムを示すブロック図である。図５に示す表示システムは、車両内に配置された表示部１０に車両情報およびナビゲーション情報を表示する表示システムであり、表示装置１Ａ、ＥＣＵ２およびナビゲーション装置３を備えて構成される。表示装置１Ａは、表示部１０に各種情報を表示する表示装置であり、表示部１０、描画部１１Ａ、表示位置制御部１２Ａ、透過率制御部１３およびバックライト制御部１４を備える。
【００３９】
表示部１０は、車両のフロントウィンドウの上部位置、すなわちサンバイザーの位置に配置される。また、表示部１０は、図２を用いて示したように液晶表示パネル１０Ａ−１および光を透過するバックライト部１０Ａ−２を有しており、この液晶表示パネル１０Ａ−１に入射された外光をバックライトとして表示を行う第１のモードと、バックライト部１０Ａ−２から発せられた光をバックライトとして表示を行う第２のモードとを切り替え可能である。
【００４０】
次に、描画部１１Ａは、ＥＣＵ２やナビゲーション装置３から取得した情報に対応する３次元立体視の表示物（以下、３次元表示物と記載する）を描画する。例えば、同一内容の画像における左右の視差画像である。
表示位置制御部１２Ａは、描画部１１Ａによって描画された３次元表示物を入力して、表示部１０の表示面１０Ａに対する奥行き方向の３次元表示物の表示位置を制御する。
なお、図５において、上記以外の構成要素については図１と同一または同様に動作するので、同一の符号を付して説明を省略する。
【００４１】
図６は、実施の形態２における３Ｄ表示例を示す図である。表示位置制御部１２Ａは、図６に示すように、運転者の左右の瞳孔とその両視線が交わる表示面１０Ａ上の交点Ｓ１に表示物を表示した場合、運転者は、表示物を表示面１０Ａ上の２次元画像として見ることができる。一方、交点Ｓ１で両視線が作る角を基準として、表示面１０Ａの奥行き方向に見かけ上の表示面１０Ｂ−１，１０Ｂ−２を設定することにより、運転者からは、交点Ｓ２，Ｓ３に表示物が表示されているように見える。
例えば、車両前方に見える交差点に右左折する方向を示す矢印マークを表示する場合、表示面１０Ａ上からその奥行き方向にある交差点位置を含む見かけ上の表示面に表示位置を移動させることにより、運転者からは、交差点上に矢印マークが表示されているように見える。このようにすることで、前方の状況に応じた表示が可能となり、快適な運転を支援することが可能である。
【００４２】
また、入力部７を用いて奥行き方向の位置をユーザが表示位置制御部１２Ａに指示するように構成してもよい。例えば、タッチパネルやダイヤルを用いて入力部７でユーザの連続的な操作を受け付けるようにしておき、これに応じて表示位置制御部１２Ａが表示位置の奥行きを調節する。このようにすることで、ユーザの好みの奥行きで表示物を表示部１０に表示させることが可能となり、より快適な運転を支援することが可能である。
なお、表示部１０で３Ｄ表示するか否かは、入力部７を用いてユーザが指定できるようにしてもよい。
【００４３】
また、透過率制御部１３は、上記実施の形態１と同様に、描画部１１Ａにおいて映像信号（３次元表示物）の階調データ（輝度階調）を制御してもよい。例えば、透過率制御部１３が、照度の検出情報に基づいて表示部１０の周辺照度が高いと判断した場合、描画部１１Ａにおいて階調を落とした映像（暗い映像）を出力するように制御する。反対に、照度が低いと判断した場合は、描画部１１Ａにおいて階調を上げた映像（明るい映像）を出力するように制御する。この場合、周辺照度に応じて階調調整された表示物が３次元表示される。
【００４４】
以上のように、この実施の形態２によれば、描画部１１Ａは、表示部１０に立体表示する３次元表示物を描画する。表示位置制御部１２Ａは、表示部１０の表示面に対する奥行き方向の３次元表示物の表示位置を制御する。このように構成することで、前方の状況に応じた表示が可能となり、快適な運転を支援することが可能である。
【００４５】
また、この実施の形態２によれば、表示位置制御部１２Ａは、ユーザの操作に応じて３次元表示物の表示位置を制御する。このようにすることで、ユーザの好みの奥行きで表示物を表示部１０に表示させることが可能となり、より快適な運転を支援することが可能である。
【００４６】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４７】
１，１Ａ  表示装置、２  ＥＣＵ、２ａ  速度情報、２ｂ  燃料情報、２ｃ  エンジン回転数情報、３  ナビゲーション装置、３ａ  地図情報、３ｂ  位置情報、３ｂ−１  ナビゲーション情報、３ｃ  時間情報、３ｃ−１  予想到着時間、３ｃ−２  時刻情報、４  スピーカ、５  通信ライン、６  照度センサ、７  入力部、１０  表示部、１０Ａ  表示面、１０Ａ−１  液晶表示パネル、１０Ａ−２  バックライト部、１０Ａ−３  フレーム部材、１０Ｂ−１，１０Ｂ−２  見かけ上の表示面、１１，１１Ａ  描画部、１２，１２Ａ  表示位置制御部、１３  透過率制御部、１４  バックライト制御部、１００  フロントウィンドウ、１０１  インストルメントパネル。
【図１】
2016008002.tif 000003
【図２】
2016008002.tif 000004
【図３】
2016008002.tif 000005
【図４】
2016008002.tif 000006
【図５】
2016008002.tif 000007
【図６】
2016008002.tif 000008